(57)【要約】【課題】  ルーバー枠体を一体状に組み込んだ木製ドアを提供する。【解決手段】  鏡板７を嵌め込むための溝４１を備えた木製ドア１において、溝を利用して該溝４１に、複数の羽根板９，９，９を備えたルーバー枠体８を組み込んで構成する。前記ルーバー枠体８は、それぞれ複数の羽根板９，９，９を備えた表枠体と裏枠体を重合させて構成され、重合状態で表側の羽根板９，９，９と裏側の羽根板９，９，９が山状に整合される。【選択図】  図２
2005213941.tif 000002
【特許請求の範囲】
【請求項１】
鏡板を嵌め込むための溝を備えた木製ドアにおいて、前記溝を利用して該溝に、複数の羽根板を備えたルーバー枠体を組み込んだことを特徴とする木製ドア。
【請求項２】
前記ルーバー枠体は、それぞれ複数の羽根板を備えた表枠体と裏枠体を重合させて構成され、重合状態で表側の羽根板と裏側の羽根板が山状に整合されることを特徴とする請求項１に記載の木製ドア。
【発明の詳細な説明】
【技術分野】
【０００１】
本発明は、全体が木製のドアに関するものである。
【背景技術】
【０００２】
従来、木製ドアは、例えば特許文献１に開示されているような構造となっている。
【特許文献１】実開昭６３−１６３３８９号公報
【発明の開示】
【発明が解決しようとする課題】
【０００３】
従来の木製ドアでは、ルーバー枠体を組み込むためには、余分な加工が必要となり、コストが増大してしまうこととなる。
【課題を解決するための手段】
【０００４】
本発明は上記従来の問題点に鑑み案出したものであって、請求項１は、鏡板を嵌め込むための溝を備えた木製ドアにおいて、前記溝を利用して該溝に、複数の羽根板を備えたルーバー枠体を組み込んだことである。
また、請求項２は、前記ルーバー枠体は、それぞれ複数の羽根板を備えた表枠体と裏枠体を重合させて構成され、重合状態で表側の羽根板と裏側の羽根板が山状に整合されることである。
【発明の効果】
【０００５】
本発明の木製ドアでは、鏡板を嵌め込むための溝を利用して、該溝に、複数の羽根板を備えたルーバー枠体を組み込んだことにより、余分な加工が不要となり、一体感を成してルーバー枠体が組み込まれて、高級感のある木製ドアとなる。
【０００６】
また、ルーバー枠体は、それぞれ複数の羽根板を備えた表枠体と裏枠体を重合させて構成され、重合状態で、表側の羽根板と裏側の羽根板が山状に整合されることとしたため、表枠体と裏枠体を重合させることで、表側の羽根板と裏側の羽根板が山状に整合され、良好な意匠性を呈するルーバー枠体となり、羽根板が山状となるため、空気の流通を可能にしながらも、ドアの表側または裏側の何れ側から見ても室内を覗くことができず、また、光の漏れが極めて少ない状態となる。
【実施例】
【０００７】
以下、本発明の実施例を図面に基づいて説明する。
図１は、木製ドアの正面構成図であり、木製ドア１は、左右の縦框２，２と、上框３と下框４で外周が構成されており、内側には、横桟５が横設され、横桟５と外周の框材２，３で区切られた空間内には、鏡板７が組み込まれて構成されている。
【０００８】
本例の木製ドア１の、横桟５と下框４間には、更にルーバー枠体８が組み込まれている。
図２には、ルーバー枠体８の組み付け状態の要部分解斜視図を示し、また図３には、ルーバー枠体８の拡大一部破断斜視構成図を示し、更に図４には、ルーバー枠体を組み付けた状態の側面拡大構成図を示す。なお、図５には、組み付けた状態の要部拡大図を示す。
【０００９】
横桟５と下框４間には、長方形状に開口された嵌め込み空間Ｓが形成されており、この嵌め込み空間Ｓの内周の、厚み方向の中央部には、凹み状に通し溝４１が形成されており、この通し溝４１の表裏側には、それぞれ立ち上げ状に垂直突部４２，４２が形成され、表側及び裏側の垂直突部４２，４２の外側は、それぞれ湾曲した湾曲額縁面４３，４３となっており、表側及び裏側の湾曲額縁面４３，４３の端部に、表面及び裏面から垂直に切り込んで、水平段部４４，４４が形成されている。
【００１０】
一方、ルーバー枠体８は、上下方向に所定間隔で複数毎の羽根板９，９，９を備えて、長方形状に枠組み形成されており、表側の表枠体８ａと、裏側の裏枠体８ｂを重合させて形成されたものとなっている。
なお、図６には、表枠体８ａと裏枠体８ｂの重合前の分解図を示す。
表枠体８ａと裏枠体８ｂは、同一形状のものを逆向きにして、それぞれの背面を貼着等して重合させるものである。
表枠体８ａ及び裏枠体８ｂには、それぞれ上下方向に所定間隔で複数毎の羽根板９，９，９が設けられており、外周の枠部の外側には、凹み状に外周溝８３が形成されており、外周溝８３の外側には、突出状に外突部８１が形成され、また外周溝８３の内側には、外突部８１と平行状に突出して重合突部８２が形成されている。
【００１１】
この表枠体８ａと裏枠体８ｂのそれぞれの重合突部８２，８２を、図３のように重合させて、１個のルーバー枠体８が形成されるものであり、重合状態では図３に示すように、表枠体８ａの羽根板９と裏枠体８ｂの羽根板９が山形状に整合されるように構成されている。
【００１２】
なお、表枠体８ａと裏枠体８ｂは同一形状のものを逆向きにしたものであり、例えば図７に示すように、外周の枠体に予め傾斜したＶ字状の嵌合溝８４，８４，８４を複数形成させておき、一方、各羽根板９の左右両端側には、外側へ突出して嵌合突部９ａ，９ａを一体形成させておき、この左右端の嵌合突部９ａ，９ａを嵌合溝８４，８４内に嵌め込んで、良好に複数の羽根板９を所定間隔で配設させることができ、嵌合溝８４，８４を予め傾斜させておけば、各羽根板９は傾斜状に組み込まれることとなり、表枠体８ａと裏枠体８ｂのそれぞれの羽根板９は、背中合わせで重合されることにより、山形状に整合されることとなる。
【００１３】
表枠体８ａと裏枠体８ｂを重合させて図３のように、ルーバー枠体８を形成させ、このルーバー枠体８を、図２のように、横桟５と下框４間の嵌め込み空間Ｓ内に嵌め込むことができるものである。
即ち、図４に拡大して側面を示すように、横桟５と下框４に形成された通し溝４１内に、表枠体８ａと裏枠体８ｂの重ね合わされた２枚の重合突部８２，８２が嵌め込まれ、また表裏それぞれの垂直突部４２，４２が、ルーバー枠体８の外周溝８３，８３内に嵌まり込んで、嵌め込み空間Ｓ内に良好にルーバー枠体８を嵌め込み固定することができるものである。
【００１４】
組み込んだ状態では、図５の拡大面のように、ルーバー枠体８の表側の外突部８１が、横桟５と下框４の表側の湾曲額縁面４３に当接状態となり、また裏側の湾曲額縁面４３に対しても、ルーバー枠体８の裏側の外突部８１が当接した状態となる。
この状態で、湾曲額縁面４３と水平段部４４は、露出するように構成されており、ルーバー枠体８を嵌め込み空間Ｓ内に組み付けた状態で、ルーバー枠体８の外周には、湾曲額縁面４３と水平段部４４が額縁状に露出して、意匠性が高められ、高級感のある木製ドア１が完成されるものである。
【００１５】
このような構造では、表枠体８ａと裏枠体８ｂを貼着して重合させたことにより、羽根板９，９が山形状になるので、各羽根板９の強度が増し、木製ドア１の表側及び裏側の何れか側から見ても、反対側が透けて見えることがなく、このような木製ドア１を用いた場合でも、部屋内を覗かれることはなく、良好にプライバシーが確保されるものである。
【００１６】
また、光の漏れも僅かなものとなり、空気は良好に羽根板９，９間の隙間を通り出入りすることができるため、木製ドア１で部屋を閉め切った状態でも、部屋内の空気が良好にこのルーバー枠体８を通って流通することができる。
【図面の簡単な説明】
【００１７】
【図１】木製ドアの正面構成図である。
【図２】木製ドアにルーバー枠体を組み込む状態の要部分解斜視図である。
【図３】ルーバー枠体の中央部を破断して示す拡大斜視構成図である。
【図４】ルーバー枠体を組み込んだ状態の側面拡大構成図である。
【図５】図４の要部拡大図である。
【図６】ルーバー枠体を構成する表枠体と裏枠体の分解図である。
【図７】ルーバー枠体を構成する羽根板を組み付ける作業説明図である。
【符号の説明】
【００１８】
１  木製ドア
２  縦框
４  下框
７  鏡板
８  ルーバー枠体
９  羽根板
９ａ  嵌合突部
４１  通し溝
４２  垂直突部
４３  湾曲額縁面
４４  水平段部
８１  外突部
８２  重合突部
８３  外周溝
８４  嵌合溝
Ｓ  嵌め込み空間
【図１】
2005213941.tif 000003
【図２】
2005213941.tif 000004
【図３】
2005213941.tif 000005
【図４】
2005213941.tif 000006
【図５】
2005213941.tif 000007
【図６】
2005213941.tif 000008
【図７】
2005213941.tif 000009